(57)【要約】  ユーザにより事前に入力され、ハンドヘルド装置又はメモリを持つ他の装置に記憶されるリマインダメッセージをテレビジョンに表示させる方法及び装置である。ユーザはハンドヘルド装置上のキーボードを使用して、リマインダ情報をこのハンドヘルド装置に入力する。この装置は遠隔制御電子装置でもよい。この入力されたリマインダ情報は記憶され、テレビジョンの通常の番組の一部に重畳される視覚的テキストメッセージ信号を発生させるテレビジョンに表示するために適当な時間に送信される。
2005513922.tif 000002
【特許請求の範囲】
【請求項１】
リマインダメッセージをディスプレイに供給するための装置において、
−リマインダメッセージを入力するための入力装置と、前記リマインダメッセージに対応する信号を無線で送信するための送信器とを有するハンドヘルド装置であり、前記リマインダメッセージはリマインダ情報と前記リマインダ情報がユーザに表示されるべき時間とを有するハンドヘルド装置、
−リマインダメッセージを記憶するためのメモリ装置、
−前記リマインダ情報を表示するために選択された時間に前記メモリ装置からリマインダメッセージを取得するための前記メモリ装置に動作的に接続され、前記リマインダメッセージを処理して取得されるリマインダメッセージ各々に対する表示信号を発生させる第１のデータプロセッサであり、前記表示信号は前記各々のリマインダメッセージに対応するメッセージをディスプレイに表示することが可能である第１のデータプロセッサ、及び
−オーディオ／ビデオ信号を入力し、テレビジョンディスプレイに表示するために前記入力されたオーディオ／ビデオ信号を処理するのに適し、前記第１のデータプロセッサから前記表示信号を入力し、取得されるリマインダメッセージに対応するメッセージを前記テレビジョンディスプレイに表示し、これにより前記メッセージは前記テレビジョンディスプレイに表されるオーディオ／ビデオ信号の少なくとも一部に重畳される第２のプロセッサであり、前記リマインダメッセージは前記リマインダ情報を表示するために選択される時間に前記テレビジョンディスプレイに表示される第２のプロセッサ、
を有することを特徴とする装置。
【請求項２】
リマインダメッセージを記憶するための前記メモリ装置及び前記第１のデータプロセッサは、前記ハンドヘルド装置内にあることを特徴とする請求項１に記載の装置。
【請求項３】
リマインダメッセージを記憶するための前記メモリ装置はセットトップボックス内にあることを特徴とする請求項１に記載の装置。
【請求項４】
前記取得されるリマインダメッセージに対応する前記メッセージが前記テレビジョンディスプレイに送信され、クローズドキャプションメッセージにおけるテキストとして前記テレビジョンディスプレイに表示されることを特徴とする請求項１に記載の装置。
【請求項５】
前記ハンドヘルド装置は英／数字データを入力するためのキーボードを有することを特徴とする請求項１に記載の装置。
【請求項６】
前記ハンドヘルド装置はディスプレイと、ユーザが前記キーボードを用いて前記英／数字データを入力する際に前記ユーザが前記英／数字データを見ることを可能する手段とをさらに有することを特徴とする請求項５に記載の装置。
【請求項７】
記憶されたリマインダメッセージが前記リマインダメッセージを編集するための前記ハンドヘルド装置の前記ディスプレイ上に表示されることが可能であることを特徴とする請求項６に記載の装置。
【請求項８】
前記装置はさらに、記憶されたリマインダメッセージが前記リマインダメッセージを編集するためのディスプレイに表示されることを可能にするための手段を有することを特徴とする請求項７に記載の装置。
【請求項９】
記憶されたリマインダメッセージが前記リマインダメッセージを編集するための前記テレビジョンディスプレイに表示されることを可能にすることを特徴とする請求項８に記載の装置。
【請求項１０】
テキスト及び画像を有するリマインダメッセージがリマインダメッセージを記憶するための前記メモリ装置に記憶されることを可能にして、テキスト及び画像を有するリマインダメッセージは取得され、前記テレビジョンディスプレイに表示されることを可能にすることを特徴とする請求項１に記載の装置。
【請求項１１】
リマインダメッセージをディスプレイに供給するための方法において、
−リマインダメッセージをハンドヘルド装置に入力するステップであり、前記リマインダメッセージは、リマインダ情報と、前記リマインダ情報がユーザに表示すべき時間を有する入力ステップ、
−前記リマインダメッセージに対応する信号を無線で送信するステップ、
−リマインダメッセージをメモリ装置に記憶するステップ、
−前記リマインダメッセージに対応する前記送信された信号を取得するステップ、
−前記リマインダ情報を表示するために選択される時間に前記メモリ装置からリマインダメッセージを取得するステップ、
−前記リマインダメッセージを処理して、取得されるリマインダメッセージ各々に対する表示信号を発生させるステップであり、前記表示信号は個々の前記リマインダメッセージに対応するメッセージをディスプレイに表示することが可能である処理ステップ、
−オーディオ／ビデオ信号を入力するステップ、
−テレビジョンディスプレイに表示するために前記入力されたオーディオ／ビデオ信号を処理するステップ、
−前記表示信号を入力するステップ、及び
−取得されるリマインダメッセージに対応する前記メッセージを前記テレビジョンディスプレイに表示し、これにより前記テレビジョンディスプレイに表される前記オーディオ／ビデオ信号の少なくとも一部に重畳されるステップであり、前記リマインダメッセージは前記リマインダ情報を表示するために選択される時間に前記テレビジョンディスプレイに表示されるステップ、
を有する方法。
【請求項１２】
リマインダメッセージが前記ハンドヘルド装置内のメモリ装置に記憶されることを特徴とする請求項１１に記載の方法。
【請求項１３】
リマインダメッセージがセットトップボックス内のメモリ装置に記憶されることを特徴とする請求項１１に記載の方法。
【発明の詳細な説明】
【技術分野】
【０００１】
本発明はテレビジョンディスプレイに表示するためのリマインダメッセージを供給することに関する。
【背景技術】
【０００２】
多くのテレビジョン視聴者はテレビジョンを観ることに多くの時間を費やしている。このような視聴者は通常、その日の大部分を家で、しばしば一人で過ごし、家族というリマインダが家に戻ってくるまでの娯楽及び／又は友達として使用している。これらの視聴者はテレビジョン番組を観るのに完全に没頭してしまい、予定したイベント、約束及び他の仕事を忘れてしまう。例えば初老の又は病気のテレビジョン視聴者が好みのクラシック映画を観ていて時間を忘れてしまい、既定の間隔で薬を飲むこと及び／又は服用する正確な投与量を忘れる。家事担当者(homemaker)のテレビジョン視聴者も同様に、昼間のテレビジョンにおいて連続ドラマ(soap opera)又はゲーム番組(game show)にのめり込んでしまうので、彼らの子供が学校又は保育所(day care center)でお迎えを待ったままでいる。テレビジョンの視聴者が忘れてしまう他のイベントは、約束、ディナーの日、パーティー及び他のテレビジョン番組を含んでいる。
【０００３】
例えばコンピュータ、ＰＤＡ(personal digital assistant)等を含むテレビジョンから独立した電子装置がリマインダを記憶及び表示するのに用いられたとしても、視聴者がテレビジョンを観ている間にこれらの装置にリマインダが表示される場合、ユーザはこのリマインダメッセージに簡単には気付かないか又はそのメッセージを簡単に無視してしまい、これにより、予定のイベントをしそこなう。
【発明の開示】
【発明が解決しようとする課題】
【０００４】
本発明は、ユーザにより事前に入力され、ハンドヘルド装置又はメモリを持つ他の装置に記憶されたリマインダメッセージをテレビジョンに表示させるための方法及び装置に関する。ユーザは、ハンドヘルド装置上のキーボードを使用し、リマインダ情報をこのハンドヘルド装置に入力する。この装置は遠隔制御の電子装置でもよい。入力されたリマインダ情報は記憶され、テレビジョンの通常の番組の一部に重畳される視覚的なテキストメッセージの信号を発生させるテレビジョン上に表示するために適当な時間に送信され、この番組は、放送番組又は例えばＶＣＲ又はＤＶＤプレーヤーで再生される映画のような既に記録された番組である。
【課題を解決するための手段】
【０００５】
本発明の他の目的及び特徴は、添付する図と一緒に考慮される以下の詳細な記載から明らかとなる。しかしながら、これら図は単に説明を目的として構成されていて、本発明の範囲を規定するものとして構成されていないと理解すべきである。そのために、添付される特許請求の範囲が参照されるべきである。これら図は必ずしも同じ縮尺で描かれてはおらず、他に説明される場合を除き、これらはここに記載される構成及び手順を単に概念的に説明することを意図していると理解すべきである。
【発明を実施するための最良の形態】
【０００６】
これら図において、同様の参照番号は同じ要素を描いている。
【０００７】
図１は、ハンドヘルド装置１０２、セットトップボックス１０４、テレビジョン１０６及びテレビジョン信号入力部１１２を有した、本発明と共に使用するのに適するテレビジョンシステム１００を表している。このハンドヘルド装置１０２は、信号を例えばアンテナ又は赤外線送信器のような送信器１０８を介して、この送信される信号を受信するセットトップボックス１０４に無線で送信することが可能である。このセットトップボックス１０４の適当な受信器の構成要素が代わりにテレビジョン１０６内に実装されてもよい。好ましいハンドヘルド装置１０２は、U. S. Philips Corp.により製造されるPRONTO装置のような、ユーザが英数字入力を行うのに用いるキーボードを備えた遠隔制御装置である。他の形式のハンドヘルド装置、例えば適当に構成される移動式電話、ＰＤＡ(Personal Digital Assistant)又はページャが使用されてもよい。テレビジョンは、アナログテレビジョン、デジタルテレビジョン（例えばＨＤＴＶ）、ＴＶモニター又はテレビジョンディスプレイとして用いられるコンピュータモニターでもよい。テレビジョン信号入力部１１２は、遠隔地にいるサービスプロバイダからアンテナ、衛星放送受信用アンテナ又はケーブル入力部を介して放送番組を入力するか、又は記録されたローカル番組、例えば映画をＶＣＲ又はＤＶＤプレーヤから入力するかである。
【０００８】
本発明のハンドヘルド装置１０２のブロック図が図２に表されている。このハンドヘルド装置１０２は、プロセッサ２０２、メモリ２０４、入力／出力（Ｉ／Ｏ）インタフェース２０６、送信器１０８、キーボード２１０、表示スクリーン２１２及びサポート回路２１４を有する。キーボード２１０はこのハンドヘルド装置１０２のユーザにリマインダ情報に対応する英数字入力を行うことを可能にする。リマインダ情報は、イベントに対するリマインダメッセージを供給する時間と、このイベントに関する詳細を含んでいる。
【０００９】
Ｉ／Ｏインタフェース２０６は、キーボード２１０を用いてユーザにより入力された前記リマインダ情報を入力し、この入力されたリマインダメッセージをプロセッサ２０２により処理するのに適する形式に変換する。このＩ／Ｏインタフェース２０６はプロセッサ２０２からリマインダデータを入力し、このデータを表示スクリーン２１２での表示に適した形式に変換もする。この表示スクリーン２１２は、ユーザがキーボード２１０を用いて入力する又は入力したユーザ入力を表示するのに使用される。代わりに、ユーザにより入力又は編集されるようなリマインダ情報又はメモリ２０４に事前に入力及び記憶された情報を表示するために、ハンドヘルド装置１０２により使用されるテレビジョン１０６がある場合、ハンドヘルド装置１０２上のスクリーン２１２は省略されてよい。サポート回路２１４はハンドヘルド装置１０２の動作を容易にしたり、時計すなわちアラームを含んでよい。
【００１０】
プロセッサ２０２は、キーボード２１０からのリマインダ情報の入力、及び送信器１０８を介したこのリマインダ情報の送信を含むハンドヘルド装置１０２の動作を調整する。このプロセッサ２０２は、変換されたリマインダ情報をＩ／Ｏインタフェース２０６からメモリ２０４へ記憶する動作、及びメモリ２０４に記憶されるソフトウェアプログラムの指示に従い適当な時間に前記メモリ２０４から記憶されたリマインダ情報を取得する動作も調整する。送信器２０８はこのプロセッサ２０２からリマインダ情報を入力し、送信器１０８を介してこの情報をセットトップボックス１０４又はテレビジョン１０６へ無線で送信する。このような無線送信は、例えば適当に変調された赤外線又は無線周波数信号の形態でもよい。セットトップボックス１０４は、ハンドヘルド装置１０２から前記信号を入力するために装備される。
【００１１】
図３は、図１に示される本発明のテレビジョンシステム１００の受信器部の第１の実施例のブロック図を示す。この実施例において、テレビジョン１０６は、例えばＳＴＮＣテレビジョンのようなアナログテレビジョンである。セットトップボックス１０４は好ましくは、テレビジョン信号チューナ３０２、受信器３０４、テキスト抽出器、信号発生器３０８及びエンコーダ又はプロセッサ３１０を有する。前記チューナ３０２は、テレビジョン信号入力部１１２からテレビジョン信号を入力するために、アナログテレビジョンチャンネルに関連する周波数を入力し、同調する。このテレビジョン信号はビデオ及びオーディオ信号部を含む。チューナ３０２はこの入力されたテレビジョン信号を復調し、その出力をエンコーダ３１０に供給する。前記エンコーダ又はプロセッサ３１０は、必要であれば入力テレビジョン信号をテレビジョンで表示するためにスクランブルが解除された信号に変換する。通常、入力されるテレビジョン信号は、スクランブルが解除された信号を得るために、ユーザ／視聴者がテレビジョンサービスに加入する必要があるようにスクランブルがかけられる。テレビジョン信号のオーディオ部分は一般的にスクランブルがかけられていない。受信器３０４はハンドヘルド装置１０２から信号を入力し、この入力された信号を復調する。テキスト抽出器３０６は、ハンドヘルド装置１０２からの信号内にある如何なるテキスト情報も抽出し、このテキスト信号をテキストメッセージに対応するクローズドキャプション(closed caption)信号を発生させる信号発生器３０８に送る。このクローズドキャプション信号はエンコーダ又はプロセッサ３１０に入力される。このエンコーダ又はプロセッサ３１０は、テレビジョン番組画像の一部に重畳されるテキスト画像が表示されるように、この信号をテレビジョン１０６へ送信するためにスクランブルが解除されるテレビジョン信号と合成する。好ましい実施例において、テキストメッセージに対応するクローズドキャプション信号は、テレビジョンビデオ信号のＶＢＩ(vertical blanking interval)のライン２１に挿入される。リマインダ情報がハンドヘルド装置１０２のメモリ２０４に記憶されてもよいが、代わりに、このリマインダ情報がセットトップボックス１０４内にあるメモリ３１２に記憶されてもよい。セットトップメモリ３１２はエンコーダ又はプロセッサ３１０に対する如何なる動作命令を記憶するのにも使用される。代わりに、リマインダ情報は、テレビジョン１０６又はパーソナルコンピュータのような他の接続される装置のメモリモジュールに記憶されてよい。
【００１２】
図４は、図１に示される本発明のテレビジョンシステム１００の受信器部の第２の実施例のブロック図を示す。この実施例において、テレビジョン１０６は例えばＨＤＴＶ(high definition television)のようなデジタルテレビジョン（ＤＴＶ）である。セットトップボックス１０４は、テレビジョンチューナ３０２、ＩＲ受信器３０４ａ、テキスト抽出器３０６ａ、クローズドキャプション信号発生器３０８ａ、無線周波数（ＲＦ）受信器３０４ｂ、テキスト／画像抽出器３０６ｂ、テキスト／画像オーバーレイ発生器３０８ｂ、ＤＴＶビデオプロセッサ３１０及びメモリモジュール３１２を有する。本実施例において、セットトップボックス１０４は、ＩＲ受信器及びＲＦ受信器の両方、並びに並列する構成要素を有し、ビデオプロセッサ３１０で処理するためのハンドヘルド装置１０２から入力される信号を処理し、テレビジョン１０６上に表示する。このセットトップボックス１０４の構成要素が代わりにテレビジョン１０６に置かれてもよい。ハンドヘルド装置１０２からの信号がテキストデータだけしか含まない場合、この信号は通常はＩＲ信号として送信される一方、テキストデータに加え、１つ以上の画像も含んでいる場合、ＲＦ信号として送信される。このような画像は、ハンドヘルド装置１０２のメモリ２０４に記憶され、ユーザによりリマインダメッセージにおける如何なるテキストを補う及び／又は強調するように選択される。クローズドキャプション信号発生器３０８ａは、デジタルテレビジョンのクローズドキャプション規格であるＥＩＡ−７０８に従いクローズドキャプション信号を好ましくは発生させる。
【００１３】
図５は、本発明によるリマインダ情報を処理する方法のフローチャートを示す。この方法があるイベントに対するリマインダに関して説明されたとしても、この方法は同じく多数のイベントに対するリマインダにも利用される。この場合、多数のイベントに対するリマインダは、キュー又は時間順序方式で処理されてもよい。代わりに、この方法が各イベントのリマインダに対し別々に利用されてもよい。
【００１４】
初めに、ステップ５０２においてハンドヘルド装置１０２のスイッチが入る。ステップ５０４において、ユーザはキーボード２１０を用いて、イベントに関連するリマインダ情報をハンドヘルド装置１０２に入力する。その代わりに又はそれに加え、ユーザは、例えばリマインダのテキスト又はグラフィックを変更したり、又はリマインダが表示されるべき時間を変更することにより、事前に入力されたリマインダ情報を削除又は編集することができる。
【００１５】
一度リマインダの入力がユーザにより行われると、ステップ５０６において、ハンドヘルド装置１０２はテレビジョン上に表示するためにリマインダ信号を送信する適当な時間を決定する。このリマインダの時間は、ユーザにより入力される情報から得られるか、又はイベント前の既定の時間として決められてよい。このリマインダ時間は、例えば投薬を行うためのリマインダのような、事前の警告が必要とされない予定されるイベントの前は０分である。所望するテレビジョン番組を見るためにリマインダに対するリマインダ時間は５分でよい。テレビジョンから離れて予定される予約、例えばレストランでのランチの予約のためのリマインダは６０分でよい。代わりに、このリマインダが限られた時間の間、定期的に、例えば最初の開始時間の後からイベントの時間まで５分毎に繰り返すか、限定されない時間の間、定期的に、例えば３時間毎に１回又は１日に１回繰り返すように設定され、これは処方薬を投与するためのリマインダとして利用される。入力されるリマインダ情報は、ステップ５０８において、ハンドヘルド装置１０２のメモリ２０４又は他のメモリモジュール、例えばセットトップボックス１０４のメモリ３１２に記憶される。
【００１６】
記憶されるリマインダは次に、ステップ５１０において、ユーザにリマインダを表示する時間であるか判断するために、ハンドヘルド装置１０２により処理される。代わりに、セットトップボックス１０４のプロセッサ３１０又は適当なメモリモジュールを備える他の接続されるプロセッサがこのリマインダを処理する。まだリマインダを表示する時間ではない場合、ステップ５１２において、リマインダ情報のチェックは、既定の時間期間を例えば５分遅らせ、そのとき、リマインダの入力がリマインダメッセージを表示する時間であるかを判断するために再びチェックされる。リマインダメッセージを表示する時間である場合、プロセッサ２０２（又は３１０）は、ステップ５１４において、メモリ２０４から適当なリマインダ入力を取得し、ステップ５１６において、テレビジョンに表示するためにリマインダ信号を送信する。このリマインダ信号は送信器１０８によりＩＲ及び／又はＲＦ信号としてセットトップボックス１０４に送信される。ハンドヘルド装置は次いで追加のリマインダ入力がステップ５１０において表示するのに適しているの確認を行い続ける。一旦テレビジョンに表示するためにリマインダが送信されると、このリマインダはメモリから自動的に削除される。
【００１７】
図３及び図４を再び参照して、前記リマインダ入力がハンドヘルド装置に記憶される場合、セットトップボックス１０４がそれの受信器３０４、３０４ａ、３０４ｂを介してリマインダ情報信号を入力するとき、抽出器３０６、３０６ａ、３０６ｂは前記信号からテキスト及び／又はグラフィック情報を抽出し、信号発生器３０８、３０８ａ、３０８ｂがエンコーダ３１０へ適当な信号を発生させる。ＴＶチューナ３０２から入力されるテレビジョン信号に重畳される入力されるリマインダ情報がテレビジョン１０６に表示される。信号発生器３０８、３０８ａ、３０８ｂにより発生する信号がテキストだけしか含まない場合、テレビジョン番組の一部、例えばスクリーンの縁のすぐ近くに重畳されるグラフィックが表示される。
【００１８】
事前に記憶されるリマインダ入力を編集又は削除するために、ハンドヘルド装置１０２のキーボード２１０のキーボード上の適当なキーが押し下げられ、ハンドヘルド１０２のスクリーン又はテレビジョン１０６に修正されるべき入力を表示させる。特定の入力はキーボードを用いて他の記憶されるリマインダ入力の間から選択され、適当なキーボード入力が所望の入力を編集又は削除するのに用いられる。
【００１９】
図６は、本発明によるリマインダ情報を処理する他の方法のフローチャートを示す。この方法において、各リマインダは、自分自身を開始する又は稼動させるアラームを有する。この方法は、入力されるメッセージ用のリマインダ時間が決められるステップ５０６による図５に示される方法と同じである。ステップ６０８において、前記リマインダはメモリに記憶され、対応するアラームタイマーは３つの別々に記憶されるリマインダに対応するボックス６０９ａ、６０９ｂ及び６０９ｃに示されるように製造及び稼動する。メッセージ用のアラームタイマーが終了する場合、関連するリマインダを識別するタイマーアラーム信号が送信され、ステップ５１４において適当なリマインダがメモリから取得され、ステップ５１６においてリマインダが表示される。本実施例において、プログラムはリマインダの表示回数を絶えずチェックしているわけではなく、これにより処理リソース及びエネルギーが節約される。リマインダ情報を入力するステップは、記憶されるリマインダメッセージを取得し、ユーザに表示するためにメッセージを発生させるステップとは別の並列処理である。結果として、追加のリマインダ入力の入力が容易になる。
【００２０】
これにより、本発明の好ましい実施例に適用されるように、本発明の基礎となる新規特徴を示し、記載し、指摘する一方、形式における様々な省略、置き換え及び変更と、記載、説明される装置並びに記載される方法の詳細は、本発明の意図から外れずに、当業者により行われてもよい。例えば、同じ結果を達成させるために略同じやり方で略同じ機能を行う要素及び／又は方法ステップの全ての組み合わせが本発明の範囲内にあることが明白に意図している。ある説明される実施例から他の実施例へ要素を置き換えることも完全に意図され及び予想される。これにより、ここに添付される請求項の範囲により示されるように単に限定することを意味する。
【図面の簡単な説明】
【００２１】
【図１】本発明によるテレビジョンシステムを示す。
【図２】図１に示される本発明のテレビジョンシステムのハンドヘルド装置のブロック図を示す。
【図３】図１に示される本発明のテレビジョンシステムにおけるアダプターボックスの第１の実施例を示す。
【図４】図１に示される本発明のテレビジョンシステムにおけるアダプターボックスの第２の実施例を示す。
【図５】本発明によるリマインダ情報を処理するためのある方法のフローチャートを示す。
【図６】本発明によるリマインダ情報を処理するための他の方法のフローチャートを示す。
【図１】
2005513922.tif 000003
【図２】
2005513922.tif 000004
【図３】
2005513922.tif 000005
【図４】
2005513922.tif 000006
【図５】
2005513922.tif 000007
【図６】
2005513922.tif 000008
【国際調査報告】
2005513922.tif 000009
2005513922.tif 000010
2005513922.tif 000011